(57)【要約】      （修正有）【課題】条状の樹脂原料を樹脂粒に切断可能であり、押えロールにより条状の樹脂原料を押えけるときには、押え力が更に均一になり、条状の樹脂原料への押えが更に確実になり、且つ押えロールの脱着が更に簡単になるようにする。【解決手段】機器の一端に原料投入口が開設してあり、機器の内部には、ローラと押えロールとがそれぞれ設けてあり、ローラと押えロールとの後方に切削刃付きロールが設けてある造粒切断機用押えロールにおいて、機器の両側には案内溝がそれぞれ凹設してあり、これらの案内溝の外端にフック部が凸設してあり、押えロールが押えロール支持枠に枢着され、押えロール支持枠の両側には、機器に凹設された案内溝に応じて案内ブロックがそれぞれ凸設してあり、案内ブロックには、機器の案内溝のフック部に応じて切り欠が設けてある造粒切断機用押えロール。【選択図】図２
0003140130.tif 000002
【実用新案登録請求の範囲】
【請求項１】
機器の一端に原料投入口が開設してあり、機器の内部には、ローラと押えロールとがそれぞれ設けてあり、前記ローラと前記押えロールとの後方に切削刃付きロールが設けてある造粒切断機用押えロールにおいて、
前記機器の両側には案内溝がそれぞれ凹設してあり、これらの案内溝の外端にフック部が凸設してあり、
前記押えロールが押えロール支持枠に枢着され、
前記押えロール支持枠の両側には、前記機器に凹設された案内溝に応じて案内ブロックがそれぞれ凸設してあり、
前記案内ブロックには、前記機器の案内溝のフック部に応じて切り欠が設けてあることを特徴とする、
造粒切断機用押えロール。
【請求項２】
前記機器の案内溝の外側には拘束片が設けてあることを特徴とする、請求項１に記載の造粒切断機用押えロール。
【考案の詳細な説明】
【技術分野】
【０００１】
本考案は、造粒切断機用押えロール（装置）に係り、特に、条状の樹脂原料を樹脂粒に切断可能であり、押えロールにより条状の樹脂原料を押えけるときには、押え力が更に均一になり、条状の樹脂原料への押えが更に確実になり、且つ工具を使用しなく、押えロール及び押えロール支持枠を取り下げ可能であり、押えロールの脱着が更に簡単になる造粒切断機用押えロールに関するものである。
【背景技術】
【０００２】
目下、一般に、射出成形により作製されたものは、樹脂材料を原料とすることが多い。
樹脂材料を原料として加工する場合には、まず、樹脂材料である原料を条状に成形した後、造粒切断機により粒状に切断して射出成形機に供給する。
【０００３】
図５は従来のものの構造を示す分解斜視図である。
従来の樹脂粒切断機６は、機器６１の一端に原料投入口６１１が開設してあり、機器６１の内部には、前記原料投入口６１１に応じてローラ６２がそれぞれ設けてあり、前記ローラ６２の上端に押えロール６３が設けてあり、また、前記ローラ６２と前記押えロール６３との後方に切削刃付きロール６４が設けてある。
【０００４】
前記押えロール６３の周面に押えロール支持枠６３１が嵌めてあり、前記押えロール６３の軸部には前記押えロール６３の軸心に沿って貫通した軸穴６３２が開設してあり、機器６１は前記押えロール６３の軸穴６３２に応じて枢着軸６５が凸設してあり、前記枢着軸６５の周面には環状溝６５１が設けてある。
これにより、前記枢着軸６５は前記押えロール６３の軸穴６３２の一端から軸穴６３２に貫入可能であり、前記枢着軸６５を前記軸穴６３２の一端から貫入して前記軸穴６３２の他端から突出すると、前記環状溝６５１にＣ型リング６５２を嵌めると前記押えロール６３が前記枢着軸６５に固定されるようになる。
そうすると、図６に示すように、条状の樹脂原料を樹脂粒切断機６の原料投入口６１１から機器６１に入れて、前記枢着軸６５の軸心を回動の中心とする前記押えロール６３が下方に移動して条状の樹脂原料を押付けて、前記切削刃付きロール６４によって条状の樹脂原料が粒状の樹脂原料に切断される。
【考案の開示】
【考案が解決しようとする課題】
【０００５】
しかしながら、これは次のような欠点があった。
（１）従来のものは、押えロールの軸穴に応じて枢着軸が凸設してあり、枢着軸の周面には環状溝が設けてあり、これにより、枢着軸は押えロールの軸穴の一端から軸穴に貫入可能であり、枢着軸を軸穴の一端から貫入して軸穴の他端から突出すると、環状溝にＣ型リングを嵌めると押えロールが枢着軸に固定されるようになるので、押えロールを取付け、又は取外すときには、工具によってＣ型リングを脱着することが必要になり、作業工数が増加し、そして作業が極めて面倒である。
【０００６】
（２）押えロールが機器に設けられる枢着軸と結合して位置決められ、枢着軸が内端により機器と結合し、枢着軸の外端が宙にぶら下り、だから、枢着軸の両端の支持力が異なり、押えロールによって条状の樹脂原料を押付けるときには、押えロールが斜めになり易く、条状の樹脂原料を確実に押付けることができない。
【課題を解決するための手段】
【０００７】
上記欠点を解決するためになされた本願の第１考案は、機器の一端に原料投入口が開設してあり、機器の内部には、ローラと押えロールとがそれぞれ設けてあり、前記ローラと前記押えロールとの後方に切削刃付きロールが設けてある造粒切断機用押えロールにおいて、前記機器の両側には案内溝がそれぞれ凹設してあり、これらの案内溝の外端にフック部が凸設してあり、前記押えロールが押えロール支持枠に枢着され、前記押えロール支持枠の両側には、前記機器に凹設された案内溝に応じて案内ブロックがそれぞれ凸設してあり、前記案内ブロックには、前記機器の案内溝のフック部に応じて切り欠が設けてあることを特徴とする造粒切断機用押えロールであることを要旨としている。
【０００８】
本願の第２考案では、前記機器の案内溝の外側には拘束片が設けてあることを特徴とする第１考案に記載の造粒切断機用押えロールであることを要旨としている。
【考案の効果】
【０００９】
本考案の造粒切断機用押えロールによれば、次のような効果がある。
（１）機器の両端に案内溝が凹設してあり、これらの案内溝の外端にフック部が凸設してあり、押えロールの押えロール支持枠の両側には案内溝に応じて案内ブロックが形成してあり、案内ブロックには案内溝のフック部に応じて切り欠が凹設してあり、これにより、押えロールは押えロール支持枠にある切り欠によってフック部と結合可能であり、なお、押えロールと押えロール支持枠とを一緒に下に強く引くと、案内ブロックが案内溝に沿って摺動して案内溝に収容され、そうすると、押えロールは条状の樹脂原料を確実に押付けることができ、工具を使用しなくても、押えロールを取付け、又は取外すことができ、だから、作業工数を低減可能であり、作業も容易になる。
【００１０】
（２）押えロールと押えロール支持枠とを一緒に下に強く引くときには、押えロール支持枠の両側の案内ブロックが機器の両側にある案内溝に沿って摺動して案内溝に収容されるので、押えロールによって条状の樹脂原料を押付けるときには、押えロール支持枠の両側の案内ブロックが機器の両側にある案内溝と結合するため、押えロールの両側の支持力が同一であり、これにより、押えロールは、条状の樹脂原料を確実に押付けることができ、加工中に斜めになることがない。
【考案を実施するための最良の形態】
【００１１】
以下、添付図面を参照して本考案の好適な実施の形態を詳細に説明する。
【実施例】
【００１２】
まず、図１を参照する。本考案は、機器１の一端に原料投入口１１が開設してあり、機器１の内部には、ローラ２と押えロール３とがそれぞれ設けてあり、前記ローラ２と前記押えロール３との後方に切削刃付きロール４が設けてある。
【００１３】
次に、図２を参照する。前記機器１の両側には案内溝１２がそれぞれ凹設してあり、これらの案内溝１２の外端にフック部１３が凸設してあり、前記案内溝１２の外側には拘束片１４が設けてあり、前記押えロール３が押えロール支持枠３１に枢着され、前記押えロール支持枠３１の両側には、前記機器１に凹設された案内溝１２に応じて案内ブロック３１１がそれぞれ凸設してあり、前記案内ブロック３１１には、前記機器１の案内溝１２のフック部１３に応じて切り欠３１２が凹設してあり、これにより、押えロール３は押えロール支持枠３１の両側の案内ブロック３１１にある切り欠３１２によって前記機器１の両側の案内溝１２にあるフック部１３と結合可能であり、なお、前記案内溝１２の外側に設けられた拘束片１４により、前記押えロール３及び押えロール支持枠３１は前記案内溝１２から離脱することがなくなる。
【００１４】
また、図３及び図４を参照する。図３は本考案の使用状態を示す斜視図であり、図４は本考案の使用状態を示す側面図である。前記押えロール３によって機器１の原料投入口１１から送入されている条状の樹脂原料５を押付けようとする場合には、前記押えロール３と押えロール支持枠３１を下に強く引いて、押えロール支持枠３１の両側の案内ブロック３１１が機器１の両側にある案内溝１２に沿って摺動して案内溝１２に収容され、このとき、前記押えロール３が条状の樹脂原料５を押付けるようになり、すなわち、条状の樹脂原料５が前記ローラ２と前記押えロール３に挟められ、そうすると、切削刃付きロール４によって条状の樹脂原料５を切削すると、条状の樹脂原料５が粒状になる。
【００１５】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１６】
【図１】本考案の構造を示す斜視図である。
【図２】本考案の構造を示す側面図である。
【図３】本考案の使用状態を示す斜視図である。
【図４】本考案の使用状態を示す側面図である。
【図５】従来のものの構造を示す分解斜視図である。
【図６】従来のものの使用状態を示す側面図である。
【符号の説明】
【００１７】
１        機器              ２        ローラ
３        押えロール        ４        切削刃付きロール
５        条状樹脂原料      ６        樹脂粒切断機
１１      原料投入口        １２      案内溝
１３      フック部          １４      拘束片
３１      押えロール支持枠  ５１      樹脂粒
６１      機器              ６２      ローラ
６３      押えロール        ６４      切削刃付きロール
６５      シャフト          ３１１    案内ブロック
３１２    切り欠            ６１１    原料投入口
６３１    押えロール支持枠  ６３２    軸穴
６５１    環状溝            ６５２    Ｃ型リング
【図１】
0003140130.tif 000003
【図２】
0003140130.tif 000004
【図３】
0003140130.tif 000005
【図４】
0003140130.tif 000006
【図５】
0003140130.tif 000007
【図６】
0003140130.tif 000008